(57)【要約】【課題】  本発明は、コンクリート等の硬質材によりなるブロックによる斜面崩落防止構造において、該ブロックを軽量化及び小型化し、重機を使用せずに施工ができる斜面崩落防止構造を提供することを目的とする。【解決手段】    本発明に係る斜面崩落防止構造は、傾斜面上に擬石パネルＡが並置され、該擬石パネルに鋼製壁面材が連結固定されてなる斜面崩落防止構造であって、前記擬石パネルＡは、その１単位の重量が約６０ｋｇ以下であって、背面板１と、該背面板上に一体的に形成された複数の硬質材よりなる擬石２とからなり、各擬石２は直線状に交差する格子状凹溝３により区画配列されており、前記鋼製壁面材は、前記擬石パネルの格子状凹溝に嵌合するように格子状に配列した格子状鉄筋よりなることを特徴とするものである。【選択図】                          図２
2010037856.tif 000002
【特許請求の範囲】
【請求項１】
傾斜面上に擬石パネルが並置され、該擬石パネルに鋼製壁面材が連結固定されてなる斜面崩落防止構造であって、
前記擬石パネルは、その１単位の重量が６０ｋｇ以下であって、背面板と、該背面板上に一体的に形成された複数の硬質材からなる擬石とからなり、各擬石は直線状に交差する格子状凹溝により区画配列されており、
前記鋼製壁面材は、前記擬石パネルの格子状凹溝に嵌合するように格子状に配列した格子状鉄筋よりなる、
ことを特徴する斜面崩落防止構造。
【請求項２】
鋼製壁面材は、その下端に土中に位置する水平フレームを備えると共に水平フレーム側に所定の角度に傾斜しており、鋼製壁面材上には押さえ鉄筋が配され、該押さえ鉄筋と水平フレームとを連結して鋼製壁面材の立設状態を固定する支持軸が設けられていることを特徴とする請求項１に記載の斜面崩落防止構造。
【請求項３】
複数の鋼製壁面材を上下に配置する場合において、上位にある鋼製壁面材の下端部又は下位にある鋼製壁面材の上端部のいずれか一方に擬石パネルが介在しない水平方向の空間部が形成され、該空間部において、上位にある鋼製壁面材が下位にある鋼製壁面材に対してスライド可能な構成であることを特徴とする請求項１又は２に記載の斜面崩落防止構造。
【請求項４】
傾斜面と擬石パネルとの間及び擬石パネルが介在しない水平方向の空間部における傾斜面上に土砂流出防止材が介在してなることを特徴とする請求項１〜３のいずれか１項に記載の斜面崩落防止構造。
【発明の詳細な説明】
【技術分野】
【０００１】
本発明は、斜面の崩落を防止する地盤構造に関する。
【背景技術】
【０００２】
従来、斜面の崩落を防止する地盤構造として、コンクリートブロックを斜面に沿って埋設する方法やコンクリートにより地表を固める方法が採用されている。また、下記特許文献１又は２に示すように、緑化推進及び美観向上の目的を兼ねて、斜面に格子鉄筋による土留め柵を埋設し、植生シートや植生ネットを利用して植物を繁殖させ、植物の根により地固めする方法が採用されている。
【特許文献１】特開２００２−１２１７４２号公報
【特許文献２】特開２００２−８８７６６号公報
【発明の開示】
【発明が解決しようとする課題】
【０００３】
しかしながら、上記のようなコンクリートブロックによる斜面崩落防止は、コンクリートブロックが重量物であるため、その施工が重機などを使用した大がかりなものとなる欠点がある。また、傾斜面に植生することにより土留めを行う方法においては景観は良好であり、緑化が推進される利点があるが、雨水などの流水により土砂が流出するおそれがあり、また、植生不良や植生過多による雑草繁茂の対策問題が発生することもあり、そのための防護策を講じる必要があった。
【０００４】
本発明は、上記の実情に鑑みてなされたものであり、基本的にはコンクリートブロックによる斜面崩落防止構造であるが、コンクリートブロックを軽量化及び小型化し、重機を使用せずに施工ができる斜面崩落防止構造を提供することを目的とする。
【課題を解決するための手段】
【０００５】
本発明に係る斜面崩落防止構造は、傾斜面上に擬石パネルが並置され、該擬石パネルに鋼製壁面材が連結固定されてなる斜面崩落防止構造であって、前記擬石パネルは、その１単位の重量が約６０ｋｇ以下であって、背面板と、該背面板上に一体的に形成された複数の硬質材、例えばコンクリート等よりなる擬石とからなり、各擬石は直線状に交差する格子状凹溝により区画配列されており、前記鋼製壁面材は、前記擬石パネルの格子状凹溝に嵌合するように格子状に配列した格子状鉄筋よりなることを特徴とするものである。なお、擬石がコンクリート製である場合の１単位の大きさとしては、例えば、幅１ｍ以下、高さ６０ｃｍ以下、厚さ１０ｃｍ以下が考えられる。
【０００６】
また、前記の構成において、前記鋼製壁面材は、その下端に土中に位置する水平フレームを備えると共に水平フレーム側に所定の角度に傾斜しており、鋼製壁面材上には押さえ鉄筋が配され、該押さえ鉄筋と水平フレームとを連結して鋼製壁面材の立設状態を固定する支持軸が設けられている構成としてもよい。
【０００７】
さらに、前記の構成において、複数の鋼製壁面材を上下に配置する場合において、上位にある鋼製壁面材の下端部又は下位にある鋼製壁面材の上端部のいずれか一方に擬石パネルが介在しない水平方向の空間部が形成され、該空間部において、上位にある鋼製壁面材が下位にある鋼製壁面材に対してスライド可能な構成としてもよい。
【０００８】
さらにまた、前記の構成において、傾斜面と擬石パネルとの間及び擬石パネルが介在しない水平方向の空間部における傾斜面上に土砂流出防止材が介在してなる構成としてもよい。
【発明の効果】
【０００９】
本発明に係る斜面崩落防止構造は、上記のように構成したことにより、前記擬石パネルは軽量であるため２人までの人員で持ち運びや取り付け等の取扱いが可能であり、重機を使用する必要がない。また、格子状鉄筋よりなる鋼製壁面材に対して、擬石パネルの格子状凹溝を嵌合させて連結固定されているので、傾斜面から容易に離脱するおそれがない。また、傾斜面の表面上では擬石が敷き詰められた状態を呈するので、景観が良い利点がある。水平フレーム、押さえ鉄筋及び支持軸をを備えた構成としたときには、固定が強固になる利点がある。さらに、鋼製壁面材を上下に配置する場合において、上位の鋼製壁面材と下位の鋼製壁面材とをスライド可能に構成した場合には、上位の鋼製壁面材の高さ調整はもとより、傾斜面が沈下していった場合でも上位の鋼製壁面材及び該鋼製壁面材に連結固定された擬石パネルが追随可能であり、傾斜面が崩れるおそれがない。さらにまた、土砂流出防止材を設けた場合には、雨水などの流水により、土砂が流出するおそれがないので、傾斜面が崩壊するおそれがない。
【発明を実施するための最良の形態】
【００１０】
以下に本発明の一実施例を添付の図面に基づいて説明する。
【実施例１】
【００１１】
図１は擬石パネル１単位の正面図であり、図２は擬石パネル１単位の斜視図であり、図３は鋼製壁面材の斜視図であり、図４は鋼製壁面材に擬石パネルを取り付けた状態を表面側から表した斜視図であり、図５は図４に示す状態を背面側から表した斜視図であり、図６は図４及び図５に示す状態において、支持軸を設けた状態を表面側から表した斜視図であり、図７は図６に示す状態を背面側から表した斜視図であり、図８は図６に示す状態において、土砂流出防止材を取り付けて土砂を投入した状態を示す側面図であり、図９は擬石パネルを取り付けた鋼製壁面材を２段積構成にした状態を示す斜視図であり、図１０は図９に示す状態の側面図であり、図１１は上段の鋼製壁面材が下降した状態を示す側面図である。
【００１２】
図１及び図２に示すＡは、擬石パネルであり、図３に示す鋼製壁面材Ｂと連結して使用するものである。該擬石パネルＡは、幅４００．２ｍｍ、高さ４５０ｍｍ、厚さ５０ｍｍであって、重量約１０ｋｇであり、２０ｍｍ厚の背面板１に３０ｍｍ高さの複数の擬石２を一体的に形成したコンクリート製のものである。この擬石とは石に似た形状物をコンクリートにより形成したものである。なお、擬石はコンクリート製に限らず、硬質樹脂等の硬質材を採用してもよい。その場合においては、コンクリート製のものに比べて同重量でも大型化できる。そして、前記各擬石２は、縦横に直線状に交差する格子状凹溝３により区画して横６列縦５段を１単位として縦横に配列されている。この擬石パネルＡには、下から１段目と２段目との境界における２箇所に鋼製壁面板Ｂを連結固定するための切り欠き孔４が形成されている。また、擬石パネルＡには、その上から２段目において３箇所の切り欠き孔５が形成されており、後述する支持軸が挿入できるようになっており、この２段目においては擬石を半裁して形成した横広幅溝６が設けられ、前記支持軸と連結するための後述する押さえ鉄筋が添設できるように構成されている。さらに、擬石パネルＡには、その最上段における擬石の間における格子状凹溝は貫通溝３ａとなっており、該貫通溝３ａは鋼製壁面板Ｂの連結固定及び鋼製壁面板Ｂを２段積みにした場合における上位の鋼製壁面板Ｂをスライド可能にするためのものである。
【００１３】
鋼製壁面材Ｂは、図３に示すように、前記擬石パネルＡの格子状凹溝３に嵌合するように縦方向の鉄筋１０と横方向の鉄筋１１とを格子状に配列した格子状鉄
筋よりなる。また、該鋼製壁面材Ｂは、その下端に土中に位置する水平フレーム１２を備えており、鋼製壁面材Ｂは水平フレーム側に所定の角度に傾斜している。該水平フレーム１２は、鋼製壁面材Ｂを構成する縦方向の鉄筋１０を屈曲して水平方向に延長形成した縦方向水平鉄筋１３と、この縦方向水平鉄筋１３を連結する横方向水平鉄筋１４とにより形成されている。なお、この水平フレーム１２は、傾斜面を形成する現場の状況により適宜延長及び連設可能である。
【００１４】
図４及び図５に、上記擬石パネルＡと鋼製壁面材Ｂとの連結構造が示される。まず、鋼製壁面材Ｂを立設し、１単位の擬石パネルＡを、鋼製壁面材Ｂの格子状鉄筋と擬石パネルＡの格子状凹溝３とが嵌合するように嵌め込み、連結固定具２０により固定する。該連結固定具２０は、先端がフック状に屈曲したフック部２１とネジ切りされた基部２２とからなる軸材２３と、ワッシャー２４と基部２２に羅着されるナット２５とにより構成される。該連結固定具２０により、鋼製壁面材Ｂに擬石パネルＡを連結固定するには、フック部２１を鋼製壁面材Ｂの縦方向の鉄筋１０（横方向の鉄筋１１でも可）に引っ掛けて基部２２を擬石パネルＡの背面側に突出させ、基部２２にワッシャー２４を挿通してナット２５を羅合して締め付けることにより、鋼製壁面材Ｂと擬石パネルＡとがフック部２１とワッシャー２４とにより強固に挟まれて連結固定される。
【００１５】
図６〜図８は、擬石パネルＡを連結固定した鋼製壁面材Ｂと鋼製壁面材Ｂの一部である水平フレーム１２との固定構造を示す。擬石パネルＡの背面側には土砂が投入されるので、その重みにより水平フレーム１２に対して擬石パネルＡが垂直になる方向に荷重が掛かる。これ荷重を持ちこたえるために、直線状の支持軸３０を架け渡す。すなわち、図６に示すように、擬石パネルＡを連結固定した鋼製壁面材Ｂに対して、擬石２を半裁することにより形成した横広幅溝６の部分に、鋼製壁面材Ｂの縦方向の鉄筋１０を跨ぐように押さえ鉄筋３１を架け渡すと共に、直線状の支持軸３０の一方の端部に形成した環状端部３０ａに押さえ鉄筋３１を挿通する。また、図７に示すように、水平フレーム１２の一部に形成した凸状部３２の下を潜るように係止鉄筋３３を配し、支持軸３０の他方の端部に形成した環状端部３０ｂにこの係止鉄筋３３を挿通して固定することにより、支持軸３０は擬石パネルＡが土砂投入により拡開することを防止する。なお、図８に示すように、擬石パネルＡの背面側に土砂Ｃを投入する前に、擬石パネルＡの背面に土砂流出防止材として、種々の透水性シート４０を配設しておく。このように構成することにより、雨水等の水分のみが流出し、擬石パネルＡから土砂が流出することがないので、流水による傾斜面崩壊を防止できる。
【００１６】
次に、斜面崩落防止構造の施工法について説明する。まず、背面板１上に複数のコンクリート製の擬石２を直線状に交差する格子状凹溝３により区画配列して背面板１と一体化した擬石パネルＡを形成しておく。また、前記擬石パネルＡの格子状凹溝３に嵌合するように格子状に配列した格子状鉄筋１０，１１よりなる鋼製壁面材Ｂを形成しておく。そして、斜面を形成しようとする水平地盤に、水平フレーム１２を載置して、鋼製壁面材Ｂを立設する。次に鋼製壁面材Ｂを構成する格子状鉄筋１０，１１を擬石パネルＡの格子状凹溝３に嵌合させ、連結具２０により鋼製壁面材Ｂと擬石パネルＡとを連結固定する。そして、鋼製壁面材Ｂ上に押さえ鉄筋３１を配し、該押さえ鉄筋３１と水平フレーム１２とを支持軸３０により連結して、鋼製壁面材Ｂの立設状態を固定支持する。次に、前記擬石パネルＡの裏面全面に土砂流出防止材である透水性シート４０を配設固定し、水平地盤に載置した水平フレーム１２上に土砂Ｃを投入し、擬石パネルＡの上端まで埋め尽くすことにより、図８に示す斜面崩落防止構造が完成する。
【００１７】
なお、本実施例を示す図面においては、鋼製壁面材Ｂの最下段に擬石２がはめられていないが、施工中の適当時期に、擬石パネルを一部切断して嵌め込んでいく。また、本実施例においては、鋼製壁面材Ｂが６段であるのに対して、擬石パネルＡを５段に構成しているのは、複数の鋼製壁面材Ｂを上下に配置する場合において、上位にある鋼製壁面材Ｂ’の下端部に擬石パネルＡ’の擬石が介在しない水平方向の空間部５０を形成するためである。なお、１段目の鋼製壁面材Ｂは、擬石パネルＡに合わせて５段構成にしてもよいが、鋼製壁面材Ｂの製造上、同一の規格にしているのである。このように構成すると、該空間部５０において、上位にある鋼製壁面材Ｂ’が下位にある鋼製壁面材Ｂに対してスライド可能となる。すなわち、図９及び図１０に示すように上述した方法により形成した斜面崩落防止構造における土砂Ｃにより形成された水平地盤に、水平フレーム１２’を載置して、鋼製壁面材Ｂ’を立設し、鋼製壁面材Ｂ’を構成する格子状鉄筋１０’，１１’を、その最下段を残して、擬石パネルＡ’の格子状凹溝３’に嵌合させて鋼製壁面材Ｂの下部に水平方向の空間部５０を形成し、連結具２０’により鋼製壁面材Ｂ’と擬石パネルＡ’とを連結固定し、鋼製壁面材Ｂ’上に押さえ鉄筋３１’を配し、該押さえ鉄筋３１’と水平フレーム１２’とを支持軸３０’により連結して、鋼製壁面材Ｂ’の立設状態を固定支持し、擬石パネルＡ’の裏面全面に土砂流出防止材４０’を配設固定し、水平地盤に載置した水平フレーム１２’上において、擬石パネルＡ’の上端まで土砂Ｃ’を投入して２段目の斜面崩落防止構造を形成する。このように擬石パネルＡ’を取り付けた鋼製壁面材Ｂ’を例えば２段に積み重ねた場合に、１段目の土砂Ｃが沈下しても、図１１に示すように、２段目の鋼製壁面材Ｂ’の最下段の空間部５０が１段目の擬石パネルＡの最上段の擬石部分に嵌り込んで２段目の構成壁面材Ｂ’が下降できるので、傾斜面が破壊されることが防止できる。もちろん、上記のように空間部５０を設けたことによりスライド可能な構造としたことより、２段目の水平フレーム１２’を載置する場合にこの空間部５０が２段目の鋼製壁面材Ｂ’の高さ調整にも利用できる。
【実施例２】
【００１８】
図１２は鋼製壁面材に擬石パネルを取り付けた状態において、支持軸を設けた状態を背面側から表した斜視図であり、図１３は図１２に示す状態において、土砂流出防止材を取り付けて土砂を投入した状態を示す側面図である。
【００１９】
本実施例は、支持軸の変更例であり、それ以外の構成は、実施例１と同様である。すなわち、図１２及び図１３は、擬石パネルＡを連結固定した鋼製壁面材Ｂと鋼製壁面材Ｂの一部である水平フレーム１２との固定構造を示す。擬石パネルＡの背面側には土砂が投入されるので、その重みにより水平フレーム１２に対して擬石パネルＡが垂直になる方向に荷重が掛かる。これ荷重を持ちこたえるために、くの字状に屈曲させた支持軸１３０を架け渡す。すなわち、実施例１における図６に示したように、擬石パネルＡを連結固定した鋼製壁面材Ｂに対して、擬石２を半裁することにより形成した横広幅溝６の部分に、鋼製壁面材Ｂの縦方向の鉄筋１０を跨ぐように押さえ鉄筋３１を架け渡すと共に、図１２に示すように、くの字状の支持軸１３０の一方の端部に形成した環状端部１３０ａに押さえ鉄筋３１を挿通する。また、図１２及び図１３に示すように、くの字状支持軸１３０の他方の端部に形成した環状端部１３０ｂに水平フレーム１２の適宜の横方向の鉄筋１３３を挿通して固定することにより、支持軸１３０は擬石パネルＡが土砂投入により拡開することを防止する。なお、図１３に示すように、擬石パネルＡの背面側に土砂Ｃを投入する前に、擬石パネルＡの背面に土砂流出防止材として、種々の透水性シート４０を配設しておく。このように構成することにより、雨水等の水分のみが流出し、擬石パネルＡから土砂が流出することがないので、流水による傾斜面崩壊を防止できる。
【産業上の利用可能性】
【００２０】
本発明に係る斜面崩落防止構造は、都市河川等の急傾斜の護岸の法面、陸上の急斜面の法面等の急斜面の法面に対して、急斜面の崩落を防止するのに利用することができる。
【図面の簡単な説明】
【００２１】
【図１】実施例１に係る斜面崩落防止構造に使用される擬石パネル１単位の正面図である。
【図２】実施例１に係る斜面崩落防止構造に使用される擬石パネル１単位の斜視図である。
【図３】実施例１に係る斜面崩落防止構造に使用される鋼製壁面材の斜視図である。
【図４】実施例１に係る斜面崩落防止構造に使用される鋼製壁面材に擬石パネルを取り付けた状態を表面側から表した斜視図である。
【図５】図４に示す状態を背面側から表した斜視図である。
【図６】図４及び図５に示す状態において、支持軸を設けた状態を表面側から表した斜視図である。
【図７】図６に示す状態を背面側から表した斜視図である。
【図８】図６に示す状態において、土砂流出防止材を取り付けて土砂を投入した状態を示す側面図である。
【図９】実施例１に係る斜面崩落防止構造に使用される擬石パネルを取り付けた鋼製壁面材を２段積構成にした状態を示す斜視図である。
【図１０】図９に示す状態の側面図である。
【図１１】上段の鋼製壁面材が下降した状態を示す側面図である。
【図１２】実施例２に係る斜面崩落防止構造に使用される鋼製壁面材に擬石パネルを取り付けた状態において、支持軸を設けた状態を背面側から表した斜視図である。
【図１３】図１２に示す状態において、土砂流出防止材を取り付けて土砂を投入した状態を示す側面図である。
【符号の説明】
【００２２】
Ａ・・・・擬石パネル
Ａ’・・・擬石パネル
Ｂ・・・・鋼製壁面材
Ｂ’・・・鋼製壁面材
Ｃ・・・・土砂
１・・・・背面板
２・・・・擬石
３・・・・格子状凹溝
３’・・・格子状凹溝
３ａ・・・貫通孔
４・・・・鋼製壁面材連結固定用切り欠き孔
５・・・・支軸挿入用切り欠き孔
６・・・・横広幅溝
１０・・・縦方向の鉄筋
１０’・・縦方向の鉄筋
１１・・・横方向の鉄筋
１１’・・横方向の鉄筋
１２・・・水平フレーム
１２’・・水平フレーム
１３・・・縦方向水平鉄筋
１４・・・横方向水平鉄筋
２０・・・連結固定具
２０’・・連結固定具
２１・・・フック部
２２・・・基部
２３・・・軸材
２４・・・ワッシャー
２５・・・ナット
３０・・・支持軸
３０ａ・・環状端部
３０ｂ・・環状端部
３１・・・押さえ鉄筋
３１’・・押さえ鉄筋
３２・・・凸状部
３３・・・係止鉄筋
４０・・・透水性シート
４０’・・透水性シート
５０・・・空間部
１３０・・支持軸
１３０ａ・環状端部
１３０ｂ・環状端部
１３３・・水平フレームの横方向の鉄筋
【図１】
2010037856.tif 000003
【図２】
2010037856.tif 000004
【図３】
2010037856.tif 000005
【図４】
2010037856.tif 000006
【図５】
2010037856.tif 000007
【図６】
2010037856.tif 000008
【図７】
2010037856.tif 000009
【図８】
2010037856.tif 000010
【図９】
2010037856.tif 000011
【図１０】
2010037856.tif 000012
【図１１】
2010037856.tif 000013
【図１２】
2010037856.tif 000014
【図１３】
2010037856.tif 000015